(57)【要約】      （修正有）【課題】カメラ本体の小型化に合わせてストロボ発光部が撮影レンズの光軸に接近してきているためケラレや赤目現象が生じる。また、発光光量を維持してストロボの小型化を図ることは難しいため、カメラの小型化に伴って内蔵するストロボ装置のカメラ本体に対する占有率は高くなる傾向があり、部品の点数を削減することとカメラ本体内におけるストロボの省スペース化を両立することは難点であった。【解決手段】ポップアップ機構によりストロボ発光部をカメラ本体内に収納された収納位置からカメラ本体から突出した突出位置まで移動させ、ストロボをレンズ鏡筒から離れた箇所に位置付けることを可能にする。これによりケラレや赤目現象が防止可能にする。更に、ポップアップ機構を単純化することにより部品の点数の減少とカメラ本体に対するストロボの占めるスペースの減少とを達成する。【選択図】図１
2009086226.tif 000002
【特許請求の範囲】
【請求項１】
カメラに内蔵するストロボ装置において、該ストロボ装置の発光部を収納位置から突出位置まで直進移動可能にするポップアップ機構と発光のためのコンデンサー及び回路基板を一体にしたストロボユニットであって、該ストロボユニットの発光部は長短複数のシャフトによって支持されていて、該複数のシャフトのうち長い方のシャフトに巻着するバネの付勢動作と該複数のシャフトのうち短い方のシャフトの滑動動作とでポップアップを可能にしたもので、前記複数のシャフトはシャフト間にカメラの部品を設置可能に配置されることを特徴としたカメラ内蔵ストロボユニット。  
【発明の詳細な説明】
【技術分野】
【０００１】
カメラに内蔵するストロボに関し、特にストロボをポップアップさせるための機構に関する。
【背景技術】
【０００２】
従来、ストロボを内蔵したカメラが普及している。近年、コンパクトカメラの普及によりカメラ本体のサイズが益々小型化される傾向にあり、カメラ本体の小型化に合わせてストロボ発光部が撮影レンズの光軸に接近してきている。
【０００３】
前記のようなストロボを内蔵したカメラで撮影を行うと、ストロボとレンズ鏡筒との距離が近いため、ストロボから発せられた閃光がレンズ鏡筒に遮られて写真に影が生じる所謂ケラレが問題になることは周知である。また、レンズに入射する被写体光の光軸とストロボから発せられた閃光の光軸とが近いほど赤目現象が現れることも周知である。
【０００４】
前記のケラレと赤目現象とを防止するためにカメラ本体内へポップアップ機構を有したストロボを搭載するようになった。
【０００５】
ポップアップ機構によりストロボ発光部がカメラ本体内に収納された収納位置からカメラ本体から突出した突出位置まで移動可能となり、ストロボをレンズ鏡筒から離れた箇所に位置付けることが可能になる。レンズ鏡筒からストロボが離れるためストロボから発せられた閃光がレンズ鏡筒に遮られなくなるので被写体に充分な光量が届きケラレの発生を防止することが可能となる。また、被写体からレンズに入射する被写体光の光軸とストロボ発光部から発せられた閃光の光軸が離れるので赤目現象を防止することにもつながる。
【０００６】
ストロボ発光部をポップアップさせる機構として特許文献１で開示されている発明では、ストロボ発光部がカメラ本体に設けられた発光部室内の回転軸を中心に収納位置から突出位置まで回転してポップアップ可能となっている。  
【０００７】
また、特許文献２で開示されている発明では、ストロボ発光部が支持レバーと２本の駆動レバーとによって軸支されることによりカメラ本体に設けられた収納部内の収納位置から突出位置までポップアップ可能になっている。
【特許文献１】特開平１１−３４４７５０号公報
【特許文献２】特開平１１−３２７００８号公報
【発明の開示】
【発明が解決しようとする課題】
【０００８】
しかし、特許文献１及び特許文献２で開示されている発明では、ストロボ発光部を収納位置から突出位置まで移動させる部品の点数が多い。更に機構は複雑で組立作業性が悪く、この機構に対するコストが掛かる欠点がある。
【０００９】
また、発光光量を維持してストロボの小型化を図ることは難しいため、カメラの小型化に伴って内蔵するストロボ装置のカメラ本体に対する占有率は高くなる傾向があり、部品の点数を削減することとカメラ本体内におけるストロボの省スペース化を両立することは難点であった。
【課題を解決するための手段】
【００１０】
本発明の請求項１記載のカメラに内蔵するストロボ装置において、該ストロボ装置の発光部を収納位置から突出位置まで直進移動可能にするポップアップ機構と発光のためのコンデンサー及び回路基板を一体にしたストロボユニットであって、該ストロボユニットの発光部は長短複数のシャフトによって支持されていて、該複数のシャフトのうち長い方のシャフトに巻着するバネの付勢動作と該複数のシャフトのうち短い方のシャフトの滑動動作とでポップアップを可能にしたもので、前記複数のシャフトはシャフト間にカメラの部品を設置可能に配置される。これにより、カメラ内部のスペース利用効率を高める。
【発明の効果】
【００１１】
本願発明はポップアップ機構を単純化することにより部品の点数を減少させてコストダウンを達成し、更に、カメラ本体に対するストロボの占めるスペースを減少させて効率良くスペースを使用可能にすることを達成する。
【発明を実施するための最良の形態】
【００１２】
本発明のストロボユニットは図４に示すように機構及び回路を一体化させた構造を特徴とし、このユニットをこのカメラ本体の配置図である図３に示すように右側の位置のカメラ本体基部５と上カバーの間に配設して、ねじで固着すれば完成する極めて組み立て容易な構造になっている。
【００１３】
図１は本発明を実施したポップアップストロボユニットを装着したカメラの外観の図である。ストロボ発光部２ａが突出位置８にポップアップした状態を示している。
【００１４】
図２はストロボ発光部２ａがカメラ本体の収納位置９に退避した状態を示した図である。以下、図に基づいて本発明の実施の形態について説明する。
【００１５】
図３はカメラ本体基部５におけるストロボユニット２の設置状態を示す配置図である。ショートシャフト２ｎとロングシャフト２ｇとの間にレンズ鏡筒４を沈胴させるモータ３が配置されている。
【００１６】
図４はストロボユニット２内においてストロボ発光部２ａとストロボ筐体２ｒの断面図である。ストロボユニット２の部品構成は図４に示すとおりである。ストロボユニット２はストロボ発光部２ａとストロボ筐体２ｒに分かれていて、ストロボ発光部２ａはキセノン管１２及び反射鏡１３と拡散板１４などの光源部２ｂと、その光源部２ｂを収納する外装部２ｃとを有する。
前記ストロボ発光部２ａには滑動可能なロングシャフト２ｇとショートシャフト２ｎが固設され、該ロングシャフト２ｇとショートシャフト２ｎはストロボ筐体２ｒに対して垂直に滑動出来るようになっている。
【００１７】
ストロボ筐体２ｒにはショートシャフト受け部２ｐ、ロングシャフト受け部上部２ｈとロングシャフト受け部下部２ｉとが夫々設けられていて、ショートシャフト受け部２ｐはストロボ発光部２ａを支持するショートシャフト２ｎを、ロングシャフト受け部上部２ｈとロングシャフト受け部下部２ｉとはストロボ発光部２ａを支持するロングシャフト２ｇを滑動可能に保持できるようになっている。
【００１８】
また、ロングシャフト２ｇをストロボ筐体２ｒのロングシャフト受け部上部２ｈからロングシャフト受け部下部２ｉに貫通させる時、ストロボ発光部端部２ｍとロングシャフト受け部下部２ｉの間に圧縮したバネ２ｊを設置する。これによりストロボ発光部２ａを収納位置方向６に押し下げた時、このバネ２ｊによって上方に更に付勢される。
【００１９】
突出位置８にあるストロボ発光部２ａをバネ２ｊの付勢力に逆らって収納位置方向６へ押し下げた時、ストロボ発光部２ａがカメラ本体１内に収納された状態に保てるのは、ストロボ筐体２ｒに設置している係止機構（図示せず）のためである。ストロボ発光部２ａを収納位置９まで押し下げると、ストロボ発光部２ａの外装部２ｃ裏側に形成されている二つの係止穴（図示せず）にストロボ筐体２ｒに設けられた係止機構（図示せず）に配設された係止爪（図示せず）が飛び込み、バネ２ｊの付勢力によるストロボ発光部２ａのポップアップを阻止し、ストロボ発光部２ａは収納位置９に係止される。押し下げられるとき、ショートシャフト２ｎはストロボ発光部２ａが押圧される力によって傾ぐのを防止している。
【００２０】
図５は収納位置９にあるストロボユニット２の断面図である。図５においてストロボ発光部２ａが収納位置９で保持されているとき、ストロボ発光部端部２ｍがストロボ筐体２ｒに配設されている検出スイッチ２ｋの板バネ部２ｌを圧接している状態である。このとき検出スイッチ２ｋでは通電しておらずオフ状態である。このときオフ信号が発生してストロボ発光部２ａがカメラの収納位置９にあることをカメラ本体１の回路が認識できる。
【００２１】
図６は突出位置９にあるストロボユニット２の断面図である。図６においてストロボ筐体２ｒには係止機構（図示せず）に併設して解除機構２ｄが設置されていて、解除機構２ｄに配設されたスライドノブ２ｅを矢印方向１０にスライドさせると係止機構（図示せず）の係止爪（図示せず）がストロボ発光部２ａの外装部２ｃ裏側に形成されている二つの係止穴（図示せず）から後退するようになっているため、スライドノブ２ｅを矢印方向１０にスライドさせると係止爪（図示せず）が後退しストロボ発光部２ａの係止が解除されるのでロングシャフト２ｇに巻着しているバネ２ｊの付勢力によってストロボ発光部２ａがポップアップする。
【００２２】
このスライドノブ２ｅは図２で解かるようにカメラ本体１の後部カバー１１から露出して突出させているため、撮影者が必要に応じて操作できるようになっている。
【００２３】
また、図６においてこのストロボ発光部２ａのポップアップ動作に合わせて検出スイッチ２ｋに作用していたストロボ発光部端部２ｍが突出位置方向７に移動し検出スイッチ２ｋの板バネ部２ｌから離れるため、検出スイッチ２ｋは通電しオン状態になる。このときオン信号が発生してストロボ発光部２ａがポップアップしたことをカメラ本体１の回路が認識できる。
【００２４】
ストロボユニット２のストロボ筐体２ｒにはストロボ回路（図示せず）とコンデンサー２ｑとを保持できるようになっており、またストロボ発光部２ａに接続する回路が最短位置にあるので発光のための供給電力の損失を最小に抑えることが可能になっている。
【００２５】
以上ストロボユニット２の構成を説明したが、ストロボ発光部２ａを垂直にポップアップさせるために必要なロングシャフト２ｇとショートシャフト２ｎとの間隔は設計上任意に設定できる特徴があるため、カメラの部品をまたぐように配設することが可能でカメラ内部の空間を有効に利用することができる。例えば図３にはレンズ鏡筒４を沈胴させるための駆動モータ３の脇に２つのシャフトを配設する例を示しており、本ストロボユニット２のカメラ内部におけるスペースの利用効率が高いことが理解できる。また、複数のシャフトでストロボ発光部２ａを支えることにより、操作中のストロボ発光部２ａのガタつきを抑えることが可能となる。
【図面の簡単な説明】
【００２６】
【図１】ストロボ発光部２ａが突出位置８にあるカメラ本体１の外観を示した図である。
【図２】ストロボ発光部２ａが収納位置９にあるカメラ本体１の外観を示した図である。
【図３】ストロボユニット２を内蔵するカメラ本体基部５の配置図である。
【図４】ストロボユニット２の図である。
【図５】ストロボ発光部２ａが収納位置９にあるときのストロボユニット２の図である。
【図６】ストロボ発光部２ａが突出位置８にあるときのストロボユニット２の図である。
【符号の説明】
【００２７】
１  カメラ本体
２  ストロボユニット
２ａ  ストロボ発光部
２ｂ  光源部
２ｃ  外装部
２ｄ  解除機構
２ｅ  スライドノブ
２ｇ  ロングシャフト
２ｈ  ロングシャフト受け部上部
２ｉ  ロングシャフト受け部下部
２ｊ  バネ
２ｋ  検出スイッチ
２ｌ  板バネ部
２ｍ  ストロボ発光部端部
２ｎ  ショートシャフト
２ｐ  ショートシャフト受け部
２ｑ  コンデンサー
２ｒ  ストロボ筐体
３  モータ
４  レンズ鏡筒
５  カメラ本体基部
６  収納位置方向
７  突出位置方向
８  突出位置
９  収納位置
１０  矢印方向
１１  後部カバー
１２  キセノン管
１３  反射鏡
１４  拡散板  
【図１】
2009086226.tif 000003
【図２】
2009086226.tif 000004
【図３】
2009086226.tif 000005
【図４】
2009086226.tif 000006
【図５】
2009086226.tif 000007
【図６】
2009086226.tif 000008